【手続補正書】
【提出日】平成18年11月28日(2006.11.28)
【手続補正１】
【補正対象書類名】明細書
【補正対象項目名】発明の名称
【補正方法】変更
【補正の内容】
【発明の名称】番組ガイド情報をカスタマイズするインタフェースおよび方法
【手続補正２】
【補正対象書類名】明細書
【補正対象項目名】特許請求の範囲
【補正方法】変更
【補正の内容】
【特許請求の範囲】
【請求項１】
番組ガイドを表示し且つカスタマイズするための電子的に発生されるインタフェースであって、
各々が複数の番組の１つを指定する複数の番組識別子を含み、電子ホスト装置内に記憶される番組ガイド情報と、
前記電子ホスト装置に関連するディスプレイ上にあって、前記番組をそれぞれ実行するためにユーザが選択できる前記複数の番組識別子の少なくとも幾つかを含むメニューと、
ユーザが選択可能で、該ユーザにより入力される前記番組とは関係のないリマインダを含む機能を実行させる少なくとも１つの追加的な識別子を更に含ませて前記メニューをカスタマイズするための、前記電子ホスト装置と接続された入力装置と、
から成る前記インタフェース。
【請求項２】
番組ガイドをカスタマイズする方法であって、
一方の軸上に時刻情報と他方の軸上に番組情報を含む格子状ガイドの各格子内に、複数の番組についての番組情報を表示するステップと、
前記複数の番組と関係のないリマインダを、格子状ガイドの所定の格子内にユーザが入力できるようにするステップと、から成る前記方法。
【手続補正３】
【補正対象書類名】明細書
【補正対象項目名】０００９
【補正方法】変更
【補正の内容】
【０００９】
（発明の概要）
本発明者は、娯楽システムにおいて電子番組ガイドが番組ナビゲーションのために好ましい方法になりつつあることを認識する。また、本発明者は、毎日このような娯楽システムの前で、より多くの人々がより多くの時間を費やしていることを認識する。従って、カレンダー機能またはスケジュール機能を電子番組ガイドの中に統合することが望ましい。例えば、「ママに電話する」、「妻の誕生日」あるいは「勘定を支払う」というようなリマインダ（ｒｅｍｉｎｄｅｒ（原語））を、電子番組ガイド表示の一部としてユーザが指定する時間帯にユーザが電子番組ガイド内に入力できるようにすることが望ましい。これは、典型的な電子番組ガイドが既に時間格子形式で表示されているので、特に好都合である。
【手続補正４】
【補正対象書類名】明細書
【補正対象項目名】００５９
【補正方法】変更
【補正の内容】
【００５９】
従って、図３に示すように、本発明の例示的方法は、少なくとも１つの追加的な識別子を含むようメニューをカスタマイズする追加的なステップＳ３を含んでいる。識別子はユーザが選択できる番組（例えば、１つ以上の形態のローカルに維持されるオーディオ媒体上でのコレクションからのオーディオ・プレゼンテーション）、あるいはリマインダ（ｒｅｍｉｎｄｅｒ（原語））事項（例えば、なすべき事項）を識別する。カスタマイズは電子ホスト装置のユーザによってローカルに行われるのが好ましい。ローカルに行われるカスタマイズは、キーボードを使用して、またはこのようなカスタマイズに専用の他の入力装置を使用して、行うことができ、あるいは以下に述べるように、ハードウェア（カスタマイズ以外に電子ホスト装置の機能を遂行する際にも使用される）を使用して行うことができる。
【手続補正５】
【補正対象書類名】明細書
【補正対象項目名】００６４
【補正方法】変更
【補正の内容】
【００６４】
また、番組タイプの指標（ｉｎｄｉｃａｔｏｒ）「リマインダ：ＲＥＭＩＮＤＥＲＳ」５２２についての番組指定情報は、ユーザが入力すべきリマインダ事項についての情報、例えば、図５Ａに示すように、「ママに電話する」、「宿題をする」、「娘の誕生日」などである。また、ユーザは、以下に述べるように、入力された事項に関連する時間帯を入力するよう促される。
【手続補正６】
【補正対象書類名】明細書
【補正対象項目名】００６７
【補正方法】変更
【補正の内容】
【００６７】
本発明の別の態様において、ユーザが番組タイプの指標「リマインダ：ＲＥＭＩＮＤＥＲ」５２２を選択すると、図５Ａに例示するように、電子スケジュール機能についての項目を指定する情報を入力するためのカスタマイズ表示５５０が現れる。次に、ユーザは、例えば、仮想キーボード５０１と５３０を使用して、なすべき事項（ｔｏ−ｄｏ  ｉｔｅｍ）をフィールド５５１内に入力する。更に、ユーザは、時刻と日付をフィールド５５２に入力して、このリマインダ事項が電子番組ガイド上に現れる時間帯を指定することができる。ユーザは、「前のリマインダ」キー５５３または「次のリマインダ」キー５５４を選択することにより、追加的なリマインダ事項についての情報を提供しまたは編集することができる。
【手続補正７】
【補正対象書類名】明細書
【補正対象項目名】００６８
【補正方法】変更
【補正の内容】
【００６８】
番組または項目を指定する情報が入力されると、コントローラ１１１０は、この情報（追加された番組またはリマインダ事項を表示する追加的な識別子を含む）を含めるよう番組ガイド情報をアップデートする。このアップデートは、番組または項目を特定する情報が正確であることそして追加的な識別子がメニュー４００に現れることを確認するためにユーザが「セーブ：ｓａｖｅ」コマンドを入力（例えば、リモコン１２５により、またはメニュー４００上の適正な「セーブ」項目の選択により）した後で行われることが好ましい。
【手続補正８】
【補正対象書類名】明細書
【補正対象項目名】００６９
【補正方法】変更
【補正の内容】
【００６９】
次にメニュー４００が表示されるとき、コントローラ１１５は前記追加的な識別子をメニュー４００の中の適正な位置に組み込む。メニュー４００内の追加的な識別子の位置は、特定の番組についてユーザが入力した特性情報により確定される。また、タイトルのアルファベット表示（例えば、指標“Ａ‐Ｚ”４８０を押す）、テーマ別、カテゴリ別またはプログラムのタイプ別による区分け、タイトル別（チャンネル別に対し）による区分け、キーワードの検索、簡単化されたレコーディング・コマンド（例えば、ワンタッチ・レコーディング）、または他の検索・分析技術（これはコントローラ１１５が包括的な番組ガイド情報で実行することができた）も、カスタマイズによりメニュー４００に追加された番組ガイド情報と包括的な番組ガイド情報との組合せに基づき、コントローラ１１５が実行できる。例として図６は、上述したように入力されたリマインダ事項「ママに電話する」が、カスタマイズされた電子番組ガイドメニュー６００の下部に、入力された時間帯５：３０ｐ．ｍ．に、現れていることを示す。この情報は、電子番組ガイド４００Ａの一部として「リマインダ」セル４２８に現れている。
【手続補正９】
【補正対象書類名】明細書
【補正対象項目名】００７８
【補正方法】変更
【補正の内容】
【００７８】
図６は、本発明の別の態様において、識別子「リマインダ：ＲＥＭＩＮＤＥＲ」がセル４２８に表示されていることを示す。セル４２９は、ユーザが既に以前に入力したリマインダ事項４２９があることを示している。このリマインダ事項について、より多くの情報を見出すために、あるいはこの事項について更なる編集を行うためにユーザは遠隔入力装置（リモコン）１２５を使用してセル４２９を簡単に選択できる。セルが選択されるとカスタマイズ表示５５０が示される。これにより、ユーザは、セル４２９のスペースが限られているため図６の格子状ガイド６００に示されていないリマインダ事項の全文を見ることができる。また、ユーザは、図５Ａに関して上述したように、リマインダ事項を編集することもできる。
【手続補正１０】
【補正対象書類名】明細書
【補正対象項目名】００８３
【補正方法】変更
【補正の内容】
【００８３】
本発明によれば、番組ガイド情報で提供される番組（プログラム）は、とりわけ、ビデオ・プレゼンテーション、オーディオ・プレゼンテーション、オーディオビジュアル・プレゼンテーション、コンピュータ・プログラム、ウェブ‐ブラウジング・プログラム、リマインダ事項、および／またはウェブ‐サイトの内容、を含むことができる。
【手続補正１１】
【補正対象書類名】図面
【補正対象項目名】図５
【補正方法】変更
【補正の内容】
【図５】
2002534854.tif 000001
【手続補正１２】
【補正対象書類名】図面
【補正対象項目名】図５Ａ
【補正方法】変更
【補正の内容】
【図５Ａ】
2002534854.tif 000002
【手続補正１３】
【補正対象書類名】図面
【補正対象項目名】図６
【補正方法】変更
【補正の内容】
【図６】
2002534854.tif 000003
【手続補正１４】
【補正対象書類名】図面
【補正対象項目名】図７
【補正方法】変更
【補正の内容】
【図７】
2002534854.tif 000004
【手続補正１５】
【補正対象書類名】図面
【補正対象項目名】図８
【補正方法】変更
【補正の内容】
【図８】
2002534854.tif 000005